(57)【要約】【課題】蛇腹ホースの表面皮膜の耐久性を向上させるとともに、圧損抵下の少ないホースを備えた電気掃除機を提供すること。【解決手段】集塵室や送風機室を有する掃除機本体と、可撓性を有する蛇腹ホース４、この蛇腹ホース４の一端に設けられて掃除機本体に接続する接続具５及び他端に設けられた把手部２からなるホース組立体１と、把手部２に直接又は延長管を介して接続される吸込み口体とからなる電気掃除機であって、接続具５及び把手部２をそれぞれ円筒状のスペーサ２０，２１を介して蛇腹ホース４に接続した。【選択図】        図１
2004180973.tif 000002
【特許請求の範囲】
【請求項１】
集塵室や送風機室を有する掃除機本体と、可撓性を有する蛇腹ホース、該蛇腹ホースの一端に設けられて前記掃除機本体に接続する接続具及び他端に設けられた把手部からなるホース組立体と、前記把手部口に直接又は延長管を介して接続される吸込み口体とからなる電気掃除機において、
前記接続具及び把手部をそれぞれ円筒状のスペーサーを介して前記蛇腹ホースに接続したことを特徴とする電気掃除機。
【請求項２】
前記スペーサの内壁に突起を設けたことを特徴とする請求項１記載の電気掃除機。
【請求項３】
前記スペーサの内壁に段部を介して外方に向って拡径された傾斜面を設けたことを特徴とする請求項１記載の電気掃除機。
【請求項４】
前記スペーサを軟質素材で形成したことを特徴とする請求項１乃至３の何れかに記載の電気掃除機。
【発明の詳細な説明】
【０００１】
【発明の属する技術分野】
本発明は電気掃除機に係り、より詳しくは、蛇腹ホースの接続部にスペーサを取り付けて蛇腹ホースの耐久性を向上させ、圧力損失を少なくした電気掃除機に関するものである。
【０００２】
【従来の技術】
従来の電気掃除機は、通常、掃除機本体と、蛇腹ホース、掃除機本体への接続具及び把手部を備えたホース組立体と、延長管及び吸込み口体とを備えている（例えば、特許文献１参照）。
【０００３】
【特許文献１】
特開２０００−３５４５７２号（第３〜７頁、図１、図２）
【０００４】
【発明が解決しようとする課題】
しかしながら、従来の電気掃除機においては、通常の使用状態において、把手部により電気掃除機を操作する際、把手部の動きに可撓性を有する蛇腹ホースが追従するが、硬化性樹脂で形成されている接続パイプの接合端部に、蛇腹ホース自身の荷重ストレスと慣性力荷重が集中してしまい、その繰り返しにより破損劣化して使用不能となる場合があり、使用者は交換のための再購入しなければならなかった。
【０００５】
また、電気掃除機の作動時において、吸引風通過の際に、蛇腹ホースの内壁と接続パイプの内壁の間に形成された段差によって、風の渦（巻込み）が生じて風切り音が発生するだけでなく、高吸込み力確保のための低損失化への障害ともなっていた。
さらに、高吸込み力確保のための低損失化への対策として径方向の大きなホースを採用する場合は、接続パイプもホース径の増大に合わせた形状にしなければならず、このため、製造費用が高くなってしまう等の問題がある。
【０００６】
本発明は、上記の課題を解決するためになされたもので、蛇腹ホースの表面皮膜の耐久性を向上させるとともに、圧損抵下の少ないホースを備えた電気掃除機を提供することを目的とする。
【０００７】
【課題を解決するための手段】
本発明は、集塵室や送風機室を有する掃除機本体と、可撓性を有する蛇腹ホース、この蛇腹ホースの一端に設けられて掃除機本体に接続する接続具及び他端に設けられた把手部からなるホース組立体と、把手部に直接又は延長管を介して接続される吸込み口体とからなる電気掃除機であって、接続具及び把手部をそれぞれ円筒状のスペーサを介して蛇腹ホースに接続したものである。
【０００８】
【発明の実施の形態】
［実施の形態１］
図１は、本発明の実施の形態１に係る電気掃掃除機のホース組立体の説明図、図２は図１の把持部の接続パイプと蛇腹ホースとの接合部付近の説明図である。ホース組立体１は、蛇腹ホース４、その一端に接続された把手部２及び他端に接続され電気掃除機本体に接続される接続具５からなり、把手部２は、電動送風機、集塵室、制御基板等を搭載した電気掃除機本体（図示せず）の電源ＯＮ、ＯＦＦ操作をはじめ、出力電力を制御する機能を有し、また、吸込み側接続口３に取り付けられた延長管や吸込み具（図示せず）を操作する。そして、接続具５の接続パイプ１１を電気掃除機本体に接続することにより、、吸込み具から電気掃除機本体までの風路がホース組立体１によって連通され、電気掃除機本体内の電動送風機を駆動することによって、塵埃が空気と共に吸込み具から掃除機本体内に吸込まれ、集塵される。
【０００９】
把手部２は、接続管６及びカバー７を備え、把手８をこれらと一体（または別体）に設けてその近傍に制御スイッチ等の操作部９が配置されている。また、把手部２の一端には延長管と接続する吸込み側接続口３を有し、他端にはこの接続口３と連通して蛇腹ホース４に接続する第１の接続パイプ１０が設けられている。
【００１０】
接続具５は、一端に電気掃除機本体の差込口に接続する本体側差込口１２を有する第２の接続パイプ１１を備えている。そして、この第２の接続パイプ１１には収納ボックス１３が取り付けられており、この収納ボックス１３には、本体側差込口１２の接続時に電気的な接続を行うため、蛇腹ホース４内部の電線と電気的に接続する接続ピン１４と、本体側差込口１２の接続保持のための係合爪１５と、操作釦１６とが設けられている。
【００１１】
蛇腹ホース４は蛇腹状に形成されるとともに、可撓性を有する皮膜１７と、この皮膜１７内に配設されてスパイラル状に形成され、電気的な接続が可能である保形線材１８とからなり、把手部２の第１の接続パイプ１０の一端と後述の第１のスペーサ２０を介して、また、接続具５の第２の接続パイプ１１の一端と後述の第２のスペーサ２１を介してそれぞれ嵌合され、組み立てられて接着固定されている。
【００１２】
把手部２及び接続具５のそれぞれの蛇腹ホース４の接続部には、図３に示すように、例えば軟質素材で形成された第１のスペーサ２０及び第２のスペーサ２１が設けられており、この第１，第２のスペーサ２０，２１は、第１，第２の接続パイプ１０，１１の外径とほぼ同じ内径か、又はそれ以下の内径を有する中空円筒状に形成されている。
【００１３】
次に、第１，第２のスペーサ２０，２１の組立手順について説明する。第１，第２のスペーサ２０，２１は、蛇腹ホース４を第１，第２の接続パイプ１０，１１に固定する前工程で、可動しろ２５を残して第１，第２の接続パイプ１０，１１の端部のテーパ面２６の外周に圧入する。
上記工程後、蛇腹ホース４を第１，第２のスペーサ２０，２１の外周側から第１，第２の接続パイプ１０，１１の外周に嵌合して接着固定する。
【００１４】
次に、電気掃除機使用時の第１，第２のスペーサ２０，２１の作用について図４により説明する。電気掃除機の操作の際、把手部２の動きに蛇腹ホース４が追従しようとするが、この際、把手部２の動きにしたがって第１，第２のスペーサ２０，２１が弾性変形するため、第１，第２の接続パイプ１０，１１の接続パイプ接合端部Ａに、蛇腹ホース４自身の荷重ストレスと慣性力加重が集中することがなく分散されるので、蛇腹ホース４が劣化破損することはない。
また、第１，第２のスペーサ２０，２１の可動しろ２５は、長いほど荷重ストレスと慣性力荷重がより分散され、さらに、カバー７，２７の軸方向の端面より長ければ、カバー７，２７部分の軸方向端面の荷重も分散されて、カバー７，２７部分の端面部による劣化破損も防ぐことができる。
【００１５】
［実施の形態２］
図５は、本発明の実施の形態２に係る電気掃除機の把手部の接続パイプと蛇腹ホースとの接続部の説明図、図６は図５のスペーサの斜視図である。なお、実施の形態１と同一又は相当部分には同じ符号を付し、説明を省略する（以下、同様）。
【００１６】
第１のスペーサ２０は実施の形態１の場合と同様に軟質素材で形成されており、第１の接続パイプ１０の接合端部Ａに当接する位置にリブなどの突起２２を設けたものである。例えば、図６（ａ）に示すように、軸方向の内周面に沿って垂直に形成されたフランジ状のリブ２２や、図６（ｂ）に示すように、軸方向に水平で個々に独立したリブ２３を複数個設けたものである。これらのリブ２２，２３などの突起によって、第１のスペーサ２０を第１の接続パイプ１０に圧入して組み立てする際に圧入しろ２５の位置決めが容易になり、作業性が向上する。
なお、上記の説明では、第１のスペーサ２０について説明したが、第２のスペーサ２１の場合も同様である（以下、同様である）。
【００１７】
［実施の形態３］
図７は、本発明の実施の形態３に係る電気掃除機の把手部の接続パイプと蛇腹ホースとの接続部付近断面図である。第１のスペーサ２０は、第１の接続パイプ１０の接合端部Ａと蛇腹ホース４の内壁との間に生じている段差２８を傾斜面（テーパー面）２４をもって連接している。第１のスペーサ２０の内壁に設けた外方に向って拡径された傾斜面２４によって、第１のスペーサ２０を第１の接続パイプ１０に圧入して組み立てる際に、圧入しろ２５の位置決めが容易になって作業性が向上するとともに、電気掃除機作動時の吸込風通過の際に生じていた風の渦（巻込み）による風切り音の発生を抑えることができ、高吸込み力確保のための低圧損化につながる。
【００１８】
また、径方向の大きい蛇腹ホース４の組立時においては、第１のスペーサ２０の厚み２９を増すことにより対応できるため、金型開発費用を抑制できる。
なお、先の傾斜面２４を設けた第１のスペーサ２０は、特に素材材質は限定していないが、軟質部材で形成すれば実施の形態１で示した場合と同様に破損劣化を防止することができる。
【００１９】
また、第１のスペーサ２０の傾斜面２４はより長い程、荷重ストレスと慣性力荷重がより分散され、さらに、カバー７の軸方向端面より長ければ、カバー７部分の軸方向端面の荷重も分散されて、カバー７部分端面部による破損劣化も防ぐことができる。また、傾斜面２４が長いほど内径の変化が緩やかになるので、圧力損失の影響が少なくなる。
【００２０】
【発明の効果】
以上の説明から明らかなように、本発明によれば、荷重や慣性力加重の集中ストレスによって従来生じていた蛇腹ホースの接続パイプ接合端部の劣化破損が、スペーサによって分散されるため、耐久性の長いホース組立体を備えた電気掃除機を得ることができる。さらに、圧力損失の少ない高吸収力を得ることもできる。
【図面の簡単な説明】
【図１】本発明の実施の形態１に係る電気掃除機のホース組立体を示す一部断面図である。
【図２】図１の把手部の一部断面図である。
【図３】図２のスペーサの斜視図である。
【図４】図２の要部の作用説明図である。
【図５】本発明の実施の形態２に係る電気掃除機のホース組立体の要部を示す一部断面図である。
【図６】図５のスペーサの斜視図である。
【図７】本発明の実施の形態３に係る電気掃除機のホース組立体の要部を示す一部断面図である。
【符号の説明】
１  吸込みホース組立体、２  把手部、４  蛇腹ホース、５  接続具、１０  第１の接続パイプ、１１  第２の接続パイプ、２０  第１のスペーサ、２１  第２のスペーサ、２２，２３  突起、２４  傾斜面、２８  段差、Ａ  接続パイプ接合端部。
【図１】
2004180973.tif 000003
【図２】
2004180973.tif 000004
【図３】
2004180973.tif 000005
【図４】
2004180973.tif 000006
【図５】
2004180973.tif 000007
【図６】
2004180973.tif 000008
【図７】
2004180973.tif 000009